【手続補正書】
【提出日】平成17年6月14日(2005.6.14)
【手続補正１】
【補正対象書類名】特許請求の範囲
【補正対象項目名】請求項１
【補正方法】変更
【補正の内容】
【請求項１】
層（Ａ）を形成する少なくとも１枚のモノフィルムまたはマルチフィルムおよび層（Ｂ）を形成する他のモノフィルムまたはマルチフィルムよりなり、これら両者が主として熱可塑性ポリマー材料よりなり、そしてそれにより少なくともＡが冷間配向性材料よりなり、そしてＡが波うった溝形状を有するがＢは波うっておらずそしてＢはその片側で接合域においてＡの片側の波頭頂部に接合されている、積層体において、上記形状の波長（λ）が３ｍｍより大きくなく、接合がラミネート層を通してヒートシーリングによってもたらされており、そしてＡの厚さが一般に非接合領域においても接合された領域内と同じであるかまたはＡが溝の方向に対して平行に延びる第一の中実状態の薄くなった領域を示し、各接合域が主として上記の第一の薄くなった域内に位置しており、そしてそれによって上記の第一の薄くなった各域が、厚みが第一の薄くなった域内のＡの最も薄い厚みとそれに隣接する非接合域内のＡの最も厚い厚みとの間の平均である位置によって境界を画すると解されることを特徴とする、上記積層体。
【手続補正２】
【補正対象書類名】特許請求の範囲
【補正対象項目名】請求項３６
【補正方法】変更
【補正の内容】
【請求項３６】
層（Ａ）を形成するモノフィルムまたはマルチフィルムと層（Ｂ）を形成する他のモノフィルムまたはマルチフィルムとよりなり、これら両者が主として熱可塑性ポリマー材料よりなり、その際にＡが波うった溝形状を有するがＢは波うっておらずそしてＢはその片側で接合域においてＡの片側の波頭頂部に接合されており、更に波うった溝構造が溝筋付きローラーを使用して形成されそしてＢとの上記結合が加熱および加圧のもとでおよび溝筋付きローラーの使用下に実施され、そして少なくともＡが主として中実状態の配向性材料よりなる様に選択される、積層体の製造方法において、上記波頭頂部上に積層を製造する溝筋付きローラーの区分が最高３ｍｍであることを特徴とする、上記方法。
【手続補正３】
【補正対象書類名】特許請求の範囲
【補正対象項目名】請求項３７
【補正方法】変更
【補正の内容】
【請求項３７】
接合工程の前にＡが狭い域に中実状態で延伸されて第一の薄くなった域を形成し、この域が選択された溝の方向に対して平行しており、該延伸が上記方向に対して一般に直角をなしそして積層加工のための溝筋付きローラーと相違する一セットの溝付きローラーの間で実施され、そして積層加工のための溝筋付きローラーが、各接合域が第一の薄くなった域内に主として位置するように、延伸用溝筋付きローラーの上記セットと調和よく組み合わされている、請求項３６に記載の方法。
【手続補正４】
【補正対象書類名】特許請求の範囲
【補正対象項目名】請求項４１
【補正方法】変更
【補正の内容】
【請求項４１】
ＢをＡに結合させるのと同時にまたは続いて、熱可塑性ポリマー材料層Ｃを形成する別の波うっていないモノフィルムまたはマルチフィルムをＡの第二の側でＡの波頭頂部に接合する、請求項３６〜４０のいずれか一つに記載の方法。
【手続補正５】
【補正対象書類名】特許請求の範囲
【補正対象項目名】請求項６９
【補正方法】変更
【補正の内容】
【請求項６９】
少なくとも１つの延伸ローラーの溝の先端の曲率半径、全ての加熱手段、層Ａの送り速度およびローラーの噛み合わせの程度が、隣接する接合域相互間の線形幅のｘ％より多くない接合した域を超える程度である薄くなった域を提供するために適応されている、請求項６６〜６８のいずれか一つに記載の装置。
【手続補正６】
【補正対象書類名】明細書
【補正対象項目名】０００３
【補正方法】変更
【補正の内容】
【０００３】
経済的理由で、熱可塑性プラスチック材料で作製された柔軟性フィルムの厚みまたは平方メーター重量を減らすことがますます要求されている。極限は一部は、必要とされる強度特性によってそして一部は必要とされる自己支持性能、即ち曲げを考慮した剛性によって設定される。これらの要求は主として熱可塑性ポリマー組成物の選択的開発によってそして強度に関する限りは二軸配向によってもまたは一般に一軸のまたは釣り合いのとれていない二軸配向を示す各フィルムの交差積層によって対処されてきた。
【手続補正７】
【補正対象書類名】明細書
【補正対象項目名】０００４
【補正方法】変更
【補正の内容】
【０００４】
強度の観点での本質的救済はかゝる配向および／または交差積層法によって達成できる。
【手続補正８】
【補正対象書類名】明細書
【補正対象項目名】０００５
【補正方法】変更
【補正の内容】
【０００５】
それ故に例えば、工業用袋は最も適した品質の押出成形されたポリエチレンフィルムから製造され、２５ｋｇのポリエチレン顆粒の包装用のものは標準の強度要求を満足するために０．１２〜０．１５ｍｍの厚さを一般に有していなければならないが、この厚さは最適に配向されそして交差積層されたポリエチレン製フィルムを使用することによって約０．０７ｍｍに薄くすることができる。しかしながらこの交差積層体を公知の方法で製造する時には、フィルムから袋を製造するための幾種かの入手可能な機械および袋に充填するための幾種からの入手可能な機械で、この様に薄いフィルムを用いて適当に加工できる。
【手続補正９】
【補正対象書類名】明細書
【補正対象項目名】００１４
【補正方法】変更
【補正の内容】
【００１４】
熱可塑性フィルムに段ボールの原理を適用すること自体においては新規ではないが、特許文献、即ち米国特許第４１３２５８１号明細書、第６欄、６６行に開示された非常に繊細な溝構造は１フィート当たり５０＋／−３個の溝（約６．０ｍｍの波長に相当する）を有する。これより小さい波長は、第一の接合プロセスがベルトによって支持されそして運搬される一列の沢山のシール棒を使用して行われるこの特許明細書に記載された方法で達成できることは非常に疑わしい。シーラー棒は移動方向（機械方向）に対して横切っており、溝付けもこの方向に対して直角をなす。
【手続補正１０】
【補正対象書類名】明細書
【補正対象項目名】００１６
【補正方法】変更
【補正の内容】
【００１６】
日本の特開平０２−０５２７３２号には、一方の側が紙に接合された平らな熱可塑性フィルムに接合されている波形を付けた熱可塑性フィルムよりなる積層体が開示されている。（この紙および平らなシートは最初に接合され、次いで波形を付したフィルムが加えられる。）この場合にも機械方向に対して直角をなす溝が平らに押しつぶされそして間隔を置いて接着的に封じられ、その結果沢山の気密な小胞が形成される。この製品の記載された用途はクッション材料、防音材料、熱および湿気を隔絶する材料および壁の装飾材料である。波形を付けたシートおよび平らなシートの厚さは記載されていないが、溝の波長も小胞の長さも記載されていないが、寸法は積層体の用途次第で選択できることが記載されている。しかしながら波長が如何なる場合にも上述の米国特許（Ａ）第４１３２５８１号に記載された最も短いもの（即ち約６ｍｍ）よりも短くないと理解せざるを得ない。この判断の理由の一つは、装飾を除いてこのものは記載された目的にとって有利でなく、他の理由は、開示された装置が極めて浅くそして特に無駄な溝を造ること以外に、比較的に狭い波長（即ち、ギア型ローラーの比較的小さいピッチ）で加工することができないからである。これは、熱可塑性フィルムが弾力がありそして図面に提示することによって暗示される様にこの方法で使用される雰囲気温度で透明に加工できないという事実のためである。ピッチが溝付けおよび積層を行うギア型ローラー上に小さい場合には、波形を付けたフィルムが溝形成を行う場所から接合を行う場所まで通過する間に成形用および積層用ローラーの溝を“飛び出し”てしまうでしょう。上記特許明細書にはローラーの溝に正常な状態で溝を維持する如何なる手段も記載されていない。
【手続補正１１】
【補正対象書類名】明細書
【補正対象項目名】００１８
【補正方法】変更
【補正の内容】
【００１８】
改変された形の同様のトラックまたはシールドは、トラックまたはシールドに対する摩擦がポリマーの加熱によって速やかに渋滞を生じさせるので、製造条件のもとで熱可塑性フィルムを使用することができない。
【手続補正１２】
【補正対象書類名】明細書
【補正対象項目名】００２２
【補正方法】変更
【補正の内容】
【００２２】
本発明はこの値に近い圧縮された平坦物の厚みに限定されないが、全く一般的に言えば、ほぼ約０．３ｍｍまたはそれ以下である平均厚さの圧縮された状態の微小溝付き積層体を含んでいてもよい。０．０３ｍｍまたはそれどころか更に薄くまで厚みを薄くすることは特別の目的のためにされ得る。
【手続補正１３】
【補正対象書類名】明細書
【補正対象項目名】００２４
【補正方法】変更
【補正の内容】
【００２４】
３ｍｍまたはそれ以下の波長を作製することによって積層体は板材料のその特徴を失うが、柔軟性フィルムの様な外観、取扱性および曲げ特性を発現する（実施例参照）。単層で造られているが更に長い波長である積層体に比べて改善された穿孔性を与える。何故ならば前者の場合には穿孔に対しての耐久性において各相が協力するのでなく個々に破裂する傾向が大きいからである。
【手続補正１４】
【補正対象書類名】明細書
【補正対象項目名】００２７
【補正方法】変更
【補正の内容】
【００２７】
交差積層体の場合には、異なる層において異なる方向に裂け目が進行することを許容するので、層間の弱い接合または強力な接合または線状結合がより改善された引裂伝播性をもたらす。それによって切欠き効果が低減される。波形を付けた一つの層を有する交差積層体は線状結合されているので、波長が短いか長いかに関わりなしに、改善された引裂伝播性を示すが、“微小溝を付け”は非常に短い伝播の後に裂けるのを止める。勿論、これが殆どの場合の長所である。
【手続補正１５】
【補正対象書類名】明細書
【補正対象項目名】００４４
【補正方法】変更
【補正の内容】
【００４４】
薄くなった最初の域の他に、隣接する最初の薄くなった域の各対の間の第二の中実状態の薄くなった域（以下では第二の薄くなった域と言う）を有しているのが非常に有益であり得る。これらの第二の薄くなった域は、第一のものよりも幅が狭く（好ましくは交互にできるだけ狭いのが有利であり、その結果この域内のＡの厚さができるだけ薄く）そして結合した域と反対側でＡの頂点に位置している。これらは“蝶番”として作用しそしてこれらが狭くかつ、Ａの横断面が滑らかな波打ちの代わりにジグザグになっているので剛性を改善するのに十分な程狭くかつ深くなっており（図３との関係で更に説明する通り）そしてＡおＢがそれによって三角構造を形成する。これらは以下に説明する製造方法を実質的に容易にする。
【手続補正１６】
【補正対象書類名】明細書
【補正対象項目名】００８６
【補正方法】変更
【補正の内容】
【００８６】
本発明の全ての用途にとって非常に興味が持てかつ耐摩耗性の印刷を、積層前にＡおよび／またはＢを積層たいの内側になる表面に印刷を付した場合に得ることができ、この方法は非接合域に対して一般的な印刷に制限するように、溝形成および積層工程で記録された状態にある。耐久性ある印刷は溝または積層体のテキスタイル様外観を強調するテクスト、装飾パターンまたは簡単なラインを形成できる。特殊な装飾効果は、印刷を金属的外観または青貝様効果を提供する場合に達成できる。
【手続補正１７】
【補正対象書類名】明細書
【補正対象項目名】００９４
【補正方法】変更
【補正の内容】
【００９４】
図１１では積層前に溝中に粒子状材料を充填するための充填装置が追加されおよび積層後に横方向シーリング部を形成するためのシーリング装置が追加されて、そしてそれによって粒子状材料のミニ容器として役立つ密閉されたポケットが形成される図８の積層場所の変形を示している。
【手続補正１８】
【補正対象書類名】明細書
【補正対象項目名】０１０２
【補正方法】変更
【補正の内容】
【０１０２】
図２〜５に示す様な“第一の薄くなった域”を持つ構造および図３に示す様な“第一および第二の薄くなった領域”の両方を持つ構造は横方向に溝を造る機械で製造することもできる。これは後で説明する。
【手続補正１９】
【補正対象書類名】明細書
【補正対象項目名】０１０３
【補正方法】変更
【補正の内容】
【０１０３】
図６において層ＡおよびＢの両方はそれら自身、積層体、例えば請求項２２における様な交差積層体であり、各層が製造されるそれぞれのフィルムを同時押出成形される。それ故にＡおよびＢはＡをＢに積層する前に積層法によってそれぞれ形成される（“予備積層”）。層（１）はＡを造る２枚の同時押出成形フィルムの各々主要層であり、そして層（２）はＢを造る２枚の共押出成形フィルムにおける主要層である。層（１）および（２）は例えば高密度ポリエチレン（好ましくはＨＭＷＨＤＰＥ）またはアイソ−またはシンジオタクチック−ポリプロピレン（ＰＰ）またはこれらのポリマーの１種類とより柔軟性のあるポリマーとのブレンド、例えばＨＭＷＨＤＰＥ、ＬＬＤＰＥより組成されていてもよい。剛性がミニ溝を付けた積層体の最も有利な性質である場合には、ＨＭＷＨＤＰＥシートまたはＰＰシートを選択するが、もし引裂または破裂性が重要でありおよび／または卓越したヒートシール性が重要である場合には、上記のブレンドがより適している。
【手続補正２０】
【補正対象書類名】明細書
【補正対象項目名】０１０９
【補正方法】変更
【補正の内容】
【０１０９】
ローラー（７）、（８）および（１０）が駆動され、他方、ローラー（６ａ）、（９）、（１１）および（１２）は遊んでいてもよい。
【手続補正２１】
【補正対象書類名】明細書
【補正対象項目名】０１２３
【補正方法】変更
【補正の内容】
【０１２３】
図１０ａに示したポケット構造は、層Ａおよび層Ｂが交互に交換される孔を持つ場合には、濾過の目的に使用することもできる。次いで粒子状物質（１０４）は例えば活性炭またはイオン交換樹脂または簡単な濾過の目的に十分であるためには微細な砂で構成されていてもよい。この場合にも収縮による出口(passage) の締めつけが有利であるかまたは重要でさえある。
【手続補正２２】
【補正対象書類名】明細書
【補正対象項目名】０１３９
【補正方法】変更
【補正の内容】
【０１３９】
第２段階：
延伸された熱い“第二の薄くされた領域”をローラー（７）とプロフィルと同様なプロフィルを持つ溝筋付き冷たいローラーで冷却し、次いで“第一の薄くされた領域”を形成するために、層Ａをこの冷たいローラーと、ローラー（８）のプロフィルに類似するプロフィルを持つ熱い溝筋付きローラ−との間で縦方向延伸する。延伸はこのローラーのトリップの所に限定される。印刷技術での記録と同様にして第２段階は延伸された領域を光学的に見つける装置を使用して第１段階と一緒に記録する。
【手続補正２３】
【補正対象書類名】明細書
【補正対象項目名】０１４４
【補正方法】変更
【補正の内容】
【０１４４】
横方向に配向したフィルムの連続製造方法は熟知されており、前に記載したが、発明者にとってその説明に従ってかゝるフィルムを製造することは実際には複雑である原因であり、それ故に横方向配向したウエブを形成するためには層Ａのフィルムの短い長さは端と端を感圧接着材で接着する。